(57)【要約】【課題】容器内で攪拌する液体の量を少なくすることができる攪拌装置を提供すること。【解決手段】攪拌装置３８は、鋼球５６を入れたセル２０に磁石５６を接近させることで鋼球５６を上方へ移動させ、磁石５６をセル２０から離間させることで鋼球５６を自重で落下させる。セル２０に磁石５６を接近させたり離間させることで、セル内の鋼球５６を上下移動させてセル内の液体を攪拌することができる。【選択図】図３
2017015500.tif 000002
【特許請求の範囲】
【請求項１】
磁性体を入れた容器に側方から磁石を接近させることで前記磁性体を上方へ移動させ、前記磁石を前記容器から離間させることで前記磁性体を自重で落下させる磁気発生手段、を有する攪拌装置。
【請求項２】
前記磁気発生手段と前記容器が相対移動可能に設けられ、
前記磁気発生手段は、前記相対移動したときに、前記容器の一方側の側部に接離する第１の磁石と、前記相対移動したとき前記容器の他方側の側部に接離する第２の磁石とを備えている、請求項１に記載の攪拌装置。
【請求項３】
前記磁石は、前記磁性体の上面が容器内の液面を超えない位置で、前記容器の側部に接離する、請求項１または請求項２記載の攪拌装置。
【請求項４】
複数の前記容器が周上に配置される回転テーブルを備え、
前記磁気発生手段は、前記回転テーブルに配置された前記容器の底面より上方の側部に対向するように前記回転テーブルの円周方向に間隔をあけて配置された前記磁石を備えている、請求項１〜請求項３の何れか１項に記載の攪拌装置。
【請求項５】
前記磁気発生手段は、前記容器の底面より上方の側部に対向するように円周方向に間隔を開けて複数の前記磁石が配置された回転部材を備えている、請求項１〜請求項３の何れか１項に記載の攪拌装置。
【請求項６】
前記磁性体が鋼球である、請求項１〜請求項５の何れか１項に記載の攪拌装置。
【請求項７】
請求項１〜請求項６の何れか１項に記載の攪拌装置と、
容器と、
前記容器に入れられる磁性体と、
を備えた攪拌システム。
【請求項８】
前記磁性体が鋼球である、請求項７記載の攪拌システム。
【請求項９】
請求項１〜請求項６の何れか１項に記載の攪拌装置、または、請求項７若しくは請求項８に記載の攪拌システムと、
前記容器に入れた血小板を含んだ液体に光を照射した際の光の透過光量、または散乱光の光量を測定する光量測定装置と、
を有する、血小板凝集能評価装置。
【請求項１０】
磁性体を入れた容器に磁石を接近させて前記磁性体を上方へ移動させ、前記容器から前記磁石を離間させて前記磁性体を自重で落下させることで容器内の液体を攪拌する、攪拌方法。
【請求項１１】
磁性体、及び液体を入れた容器に、前記容器の一方側に接離する第１の磁石と、前記容器の他方側の側部に接離する第２の磁石とを前記容器の側部に交互に接離させることにより、容器内の液体を攪拌する方法であって、以下の工程（１）〜工程（５）を含むことを特徴とする、攪拌方法。
工程（１）：前記第１の磁石が前記容器に近接したときに前記磁性体を容器内で上方へ移動させ、かつ一方側へ移動させる工程。
工程（２）：工程（１）の後、前記第１の磁石が前記容器から離間したときに前記磁性体を容器内で自重で落下させる工程。
工程（３）：工程（２）の後、前記第２の磁石が前記容器に近接したときに前記磁性体を容器内で上方へ移動させ、かつ他方側へ移動させる工程。
工程（４）：工程（３）の後、前記第２の磁石が前記容器から離間したときに前記磁性体を容器内で自重で落下させる工程。
工程（５）：工程（４）の後、さらに工程（１）〜工程（４）を順次繰り返す工程。
【請求項１２】
前記磁石が、前記磁性体の上面が容器内の液面を超えない位置で、前記容器の側部に接離する、請求項１０に記載の攪拌方法。
【請求項１３】
前記第１の磁石、及び前記第２の磁石が、前記磁性体の上面が容器内の液面を超えない位置で、前記容器の側部に接離する、請求項１１に記載の攪拌方法。
【請求項１４】
前記磁性体が鋼球である、請求項１０〜請求項１３の何れか１項に記載の攪拌方法。
【発明の詳細な説明】
【技術分野】
【０００１】
本発明は、液体を攪拌する攪拌装置、攪拌システム、血小板の凝集能を評価する血小板凝集能評価装置、及び攪拌方法に関する。
【背景技術】
【０００２】
実験や分析において、液体中の物質を溶解する際、又は、異なる２種類以上の液体を混合する際など、容器中の液体を均一化するために液体の攪拌が行われる。容器中の液体を攪拌する装置としては、例えば、マグネット攪拌子を、当該攪拌子の回転用磁界を発生するマグネチックスターラーによって攪拌する攪拌装置が知られている（特許文献１）。
液体の攪拌装置や攪拌方法は、様々な分野に利用されており、例えば、血小板凝集能の検査に利用されている。血小板凝集能を評価する方法は、1962年にBornらによって開発された、多血小板血漿（ＰＲＰ）を攪拌しながら光学的変化を検出する方法が今も広く用いられている（非特許文献１）。当該方法は抗凝固剤としてクエン酸ナトリウムを加えた血液から遠心分離により多血小板血漿（ＰＲＰ）を分離し、当該多血小板血漿（ＰＲＰ）を攪拌しながら、アゴニストと呼ばれる血小板凝集誘発物質を加え、その後の凝集度合を光学的変化により記録する方法である。この多血小板血漿（ＰＲＰ）の攪拌方法にはマグネチックスターラーと攪拌子による方法が一般的に用いられ、当該攪拌方法を利用した血小板凝集能測定装置が知られている（特許文献２、３）。
【先行技術文献】
【特許文献】
【０００３】
【特許文献１】特開２００６―１１６３９２号公報。
【特許文献２】特開２００２―０８２１１８号公報。
【特許文献３】特開２００９―００８５０３号公報。
【非特許文献】
【０００４】
【非特許文献１】Nature, vol.194, pp927-929（1962)
【発明の概要】
【発明が解決しようとする課題】
【０００５】
従来の攪拌装置では、特許文献１の図１に示すように、棒状の磁石からなる攪拌子を容器内に入れ、容器の下方で磁石を回転することで攪拌子を容器内で水平に回転させている。
【０００６】
液体を攪拌する場合、用途によっては、少量の液体を攪拌したい場合がある。しかしながら、棒状の攪拌子を水平方向に回転させる場合、容器の内径寸法を攪拌子の長さ寸法よりも小さくすることはできず、容器の底面の面積が必然的に大きくなり、底面の面積を小さくするにも限界がある。
特に、容器の側部から容器内の液体に光を照射して液体を通過した光の量を測定する場合には、攪拌子の上方で光を通過させなければならない。このため、液面の高さが有る程度必要となるため、容器に入れる液体の量（容器の底面の面積×液面の高さ）を少なくすることが困難となっている。
【０００７】
また、従来の血小板凝集能測定装置では、特許文献２の第１図、特許文献３の図６に示すように、棒状の磁性体からなる攪拌子を容器内に入れ、容器の下方で磁石を回転することで攪拌子を容器内で水平に回転させ、容器内の多血小板血漿（ＰＲＰ）を攪拌しながら、容器の側部から容器内の液体に光を照射して液体を通過した光の量を測定している。
そのため、攪拌子が回転する反応容器底面積と、攪拌子の上方で光を通過させなければならないことを考慮すると、１つの容器に入れる多血小板血漿（ＰＲＰ）の量を少なくすることができない。
本発明は上記事実を考慮し、容器内で攪拌する液体の量を少なくすることができる攪拌装置、攪拌システム、血小板凝集能評価装置、及び攪拌方法の提供を目的とする。
【課題を解決するための手段】
【０００８】
請求項１に記載の攪拌装置は、磁性体を入れた容器に磁石を接近させることで前記磁性体を上方へ移動させ、前記磁石を前記容器から離間させることで前記磁性体を自重で落下させる磁気発生手段を有する。
【０００９】
磁石と磁性体とを相対的に接近させることで、磁石に磁性体を吸着することができる。
請求項１に記載の攪拌装置では、磁気発生手段は、液体と磁性体を入れた容器に磁石を接近させることで磁性体を上方へ移動させることができ、磁石を容器から離間させることで磁性体を自重で落下させることができる。このようにして、容器に磁石を接近させたり離間させることで、容器内の磁性体を上下移動させることができる。
【００１０】
したがって、容器内に液体を入れ、容器内の磁性体を上下移動（直線移動）させることで、容器内の液体を攪拌することができる。磁性体を容器内で上下移動させるので、磁性体と容器の内側面との間に磁性体が移動できるだけの隙間が開いていれば良く、小型の粒状の磁性体を用いれば、容器の内径も小さくでき、棒状の攪拌子を回転させる場合に比較して容器の底面の面積を小さくでき、これによって容器に入れる液体の量を少なくすることができる。
【００１１】
請求項２に記載の攪拌装置は、請求項１に記載の攪拌装置において、前記磁気発生手段と前記容器が相対移動可能に設けられ、前記磁気発生手段は、前記相対移動したときに、前記容器の一方側の側部に接離する第１の磁石と、前記相対移動したとき前記容器の他方側の側部に接離する第２の磁石とを備えている。
【００１２】
請求項２に記載の攪拌装置では、以下の様にして容器内の液体を攪拌することができる。
（１）  第１の磁石が容器に近接したときに磁性体が容器内で上方へ移動し、かつ一方側へ移動する。即ち、磁性体は、一方側の斜め上方へ移動する。
（２）  次に相対移動して、第１の磁石が容器から離間したときに磁性体が容器内で落下する。
（３）  次に相対移動して、第２の磁石が容器に接近したときに磁性体が容器内で上方へ移動し、かつ他方側へ移動する。即ち、磁性体は、他方側の斜め上方へ移動する。
（４）  次に相対移動して、第２の磁石が容器から離間したときに磁性体が容器内で落下する。
請求項２に記載の攪拌装置は、以上（１）〜（４）を繰り返すことができる。
容器の一方側の側部に接離する第１の磁石と、容器の他方側の側部に接離する第２の磁石とを、容器に対して交互に接離させることにより、容器内の磁性体を上下移動（直線移動）させるのではなく、真下へ自重で落下することと、磁力により斜め上へ移動することを繰り返す。
これにより、より効率よく、液体を攪拌することができる。
【００１３】
請求項３に記載の発明は、請求項１または請求項２に記載の攪拌装置において、前記磁石は、前記磁性体の上面が容器内の液面を超えない位置で、前記容器の側部に接離する。これにより、容器底面から容器内の液面の上端の高さまで磁性体が移動するので、より効率よく、液体を攪拌することができる。また、前記磁性体が、容器底面から容器内の液面の上端の高さより高い位置から自重落下することがなく、容器内の溶液が飛び跳ねるのを抑制することができる。
【００１４】
請求項４に記載の発明は、請求項１〜請求項３の何れか１項に記載の攪拌装置において、複数の前記容器が周上に配置される回転テーブルを備え、前記磁気発生手段は、前記回転テーブルに配置された前記容器の底面より上方の側部に対向するように前記回転テーブルの円周方向に間隔をあけて配置された前記磁石を備えている。
【００１５】
請求項４に記載の攪拌装置では、磁気発生手段が、複数の容器が周上に配置された回転テーブルに容器の底面より上方の側部に対向するように円周方向に間隔をあけて配置された磁石を備えているため、回転テーブルを回転させると、回転テーブルの周上に配置された容器に対して、円周方向に間隔をあけて配置された複数の磁石が容器に対して順次接近、離間するので、回転テーブルを回転させている間は磁性体を上下移動繰り返すことができ、簡単な構成で容器内の液体の攪拌効果を高めることができる。
【００１６】
請求項５に記載の発明は、請求項１〜請求項３の何れか１項に記載の攪拌装置において、前記磁気発生手段は、前記容器の底面より上方の側部に対向するように円周方向に間隔を開けて複数の前記磁石が配置された回転部材を備えている。
【００１７】
請求項５に記載の攪拌装置では、磁気発生手段が、容器の底面より上方に対向するように円周方向に間隔を開けて複数の磁石が配置された回転部材を備えているため、回転部材を回転させると、容器に対して、円周方向に間隔をあけて配置された複数の磁石が、容器に対して順次接近、離間を行うので、回転部材を回転させている間、磁性体を上下移動させることができ、簡単な構成で攪拌効果を高めることができる。
【００１８】
請求項６に記載の発明は、請求項１〜請求項５の何れか１項に記載の攪拌装置において、磁性体が鋼球である。鋼球は球体であり、角部が無いため、容器を傷つける虞がない。また、鋼球は球体であるため、容器内で引っ掛からず、容器内でスムーズに移動できるので、容器内の液体を効率的に撹拌することができる。
【００１９】
請求項７に記載の攪拌システムは、請求項１〜請求項６の何れか１項に記載の攪拌装置と、容器と、前記容器に入れられる磁性体と、を備えている。
【００２０】
請求項７に記載の攪拌システムでは、請求項１〜請求項６の何れか１項に記載の攪拌装置によって磁性体を容器内で上下移動させることができる。
【００２１】
請求項８に記載の発明は、請求項７に記載の攪拌システムにおいて、前記磁性体が鋼球である。
【００２２】
請求項８に記載の攪拌システムでは、鋼球は球体であり、角部が無いため、容器を傷つける虞がない。また、鋼球は球体であるため、容器内で引っ掛からず、容器内でスムーズに移動できるので、容器内の液体を効率的に撹拌することができる。
【００２３】
請求項９に記載の血小板凝集能評価装置は、請求項１〜請求項６の何れか１項に記載の攪拌装置、または、請求項７若しくは請求項８に記載の攪拌システムと、前記容器に入れた血小板を含んだ液体に光を照射した際の光の透過光量、または散乱光の光量を測定する光量測定装置と、を有する。
【００２４】
請求項９に記載の血小板凝集能評価装置では、光量測定装置が容器に入れた血小板を含んだ液体に光を照射した際の光の透過光量、または散乱光の光量を測定して、血小板の凝集能を評価することができる。
請求項９に記載の血小板凝集能評価装置では、請求項１〜請求項６の何れか１項に記載の攪拌装置、または、請求項７若しくは請求項８に記載の撹拌システムを用いているので、評価に用いる血小板を含んだ液体の量が少なくて済む。
【００２５】
請求項１０に記載の攪拌方法は、磁性体を入れた容器に磁石を接近させて前記磁性体を上方へ移動させ、前記容器から前記磁石を離間させて前記磁性体を自重で落下させることで容器内の液体を攪拌する。
【００２６】
請求項１０に記載の攪拌方法では、液体と磁性体を入れた容器に磁石を接近させることで磁性体を上方へ移動させることができ、磁石を容器から離間させることで磁性体を自重で落下させることができる。このようにして、容器に磁石を接近させたり離間させることで、容器内の磁性体を上下移動させることができる。したがって、容器内に液体を入れ、容器内の磁性体を上下移動させることで、容器内の液体を攪拌することができる。
【００２７】
請求項１１に記載の撹拌方法は、磁性体、及び液体を入れた容器に、前記容器の一方側に接離する第１の磁石と、前記容器の他方側の側部に接離する第２の磁石とを前記容器の側部に交互に接離させることにより、容器内の液体を攪拌する方法であって、以下の工程（１）〜工程（５）を含む。
工程（１）：前記第１の磁石が前記容器に近接したときに前記磁性体を容器内で上方へ移動させ、かつ一方側へ移動させる工程。
工程（２）：工程（１）の後、前記第１の磁石が前記容器から離間したときに前記磁性体を容器内で自重で落下させる工程。
工程（３）：工程（２）の後、前記第２の磁石が前記容器に近接したときに前記磁性体を容器内で上方へ移動させ、かつ他方側へ移動させる工程。
工程（４）：工程（３）の後、前記第２の磁石が前記容器から離間したときに前記磁性体を容器内で自重で落下させる工程。
工程（５）：工程（４）の後、さらに工程（１）〜工程（４）を順次繰り返す工程。
【００２８】
請求項１１に記載の攪拌方法では、工程（１）において、第１の磁石が前記容器に近接したときに磁性体を容器内で上方へ移動させ、かつ一方側へ移動させる。即ち、磁性体は、容器内で一方側の斜め上方へ移動する。
工程（２）において、工程（１）の後、第１の磁石が容器から離間したときに磁性体を容器内で自重で落下させる。
工程（３）において、工程（２）の後、第２の磁石が容器に近接したときに磁性体を容器内で上方へ移動させ、かつ他方側へ移動させる。即ち、磁性体は、容器内で他方側の斜め上方へ移動する。
工程（４）において、工程（３）の後、第２の磁石が容器から離間したときに磁性体を容器内で自重で落下させる。
工程（５）においては、工程（４）の後、さらに工程（１）〜工程（４）を順次繰り返す。
容器の一方側の側部に接離する第１の磁石と、容器の他方側の側部に接離する第２の磁石とを、容器に対して交互に接離させることにより、容器内の磁性体を上下移動（直線移動）させるのではなく、真下への自重で落下することと、磁力により斜め上へ移動することを繰り返す。これにより、効率良く液体を攪拌することができる。
【００２９】
請求項１２に記載の発明は、請求項１０に記載の攪拌方法において、前記磁石が、前記磁性体の上面が容器内の液面を超えない位置で、前記容器の側部に接離する。
【００３０】
請求項１２に記載の撹拌方法では、容器底面から容器内の液面の上端の高さまで磁性体が移動するので、より効率よく、液体を攪拌することができる。また、磁性体が、容器底面から容器内の液面の上端の高さより高い位置から自重落下することがなく、容器内の溶液が飛び跳ねるのを抑制することができる。
【００３１】
請求項１３に記載の発明は、請求項１１に記載の攪拌方法において、前記第１の磁石、及び前記第２の磁石が、前記磁性体の上面が容器内の液面を超えない位置で、前記容器の側部に接離する。
【００３２】
請求項１３に記載の撹拌方法では、容器底面から容器内の液面の上端の高さまで磁性体が移動するので、より効率よく、液体を攪拌することができる。また、磁性体が、容器底面から容器内の液面の上端の高さより高い位置から自重落下することがなく、容器内の溶液が飛び跳ねるのを抑制することができる。
【００３３】
請求項１４に記載の発明は、請求項１０〜請求項１３の何れか１項に記載の攪拌方法において、磁性体が鋼球である。鋼球は球体であり、角部が無いため、容器を傷つける虞がない。また、鋼球は球体であるため、容器内で引っ掛からず、容器内でスムーズに移動できるので、容器内の液体を効率的に撹拌することができる。
【発明の効果】
【００３４】
以上説明したように、本発明の攪拌装置、攪拌システム、及び攪拌方法によれば、容器内で攪拌する液体の量を少なくすることができる、という優れた効果を有する。
また、本発明の血小板凝集能評価装置は、血小板の凝集能の評価に用いる血小板を含んだ液体の量が少なくて済む、という優れた効果を有する。
【図面の簡単な説明】
【００３５】
【図１】本発明の第１の実施形態に係る攪拌装置を備えた分析装置の平面図である。
【図２】攪拌装置の要部を示す平面図である。
【図３】（Ａ）は図２に示す攪拌装置の３（Ａ）−３（Ａ）線断面図であり、（Ｂ）は図２に示す攪拌装置の３（Ｂ）−３（Ｂ）線断面図である。
【図４】（Ａ）は第２の実施形態に係る攪拌装置の側面図であり、（Ｂ）は第２の実施形態に係る攪拌装置の平面図である。
【図５】第３の実施形態に係る攪拌装置の一部を示す平面図である。
【図６】第３の実施形態に係る攪拌装置の一部を示す平面図である。
【図７】（Ａ）は図５に示す攪拌装置の一部を示すセルに沿った断面図であり、（Ｂ）は図６に示す攪拌装置の７（Ｂ）−７（Ｂ）線断面図である。
【図８】（Ａ）は図５に示す攪拌装置の８（Ａ）−８（Ａ）線断面図であり、（Ｂ）は図６に示す攪拌装置の８（Ｂ）−８（Ｂ）線断面図である。
【図９】（Ａ）は図５に示す攪拌装置の９（Ａ）−９（Ａ）線断面図であり、（Ｂ）は図６に示す攪拌装置の９（Ｂ）−９（Ｂ）線断面図である。
【図１０】セルの内部での鋼球の動きを説明するためのセルの縦断面図である。
【図１１】第４の実施形態に係る攪拌装置の一部を示す平面図である。
【図１２】第５の実施形態に係る攪拌装置の一部を示す平面図である。
【図１３】試験例の結果を示すグラフである。
【発明を実施するための形態】
【００３６】
［第１の実施形態］
図１〜図３を用いて、本発明の第１の実施形態に係る分析装置１０について説明する。
[分析装置の全体概略構成]
図１に示すように、本実施形態の分析装置１０は、複数のサンプル容器１２を収容したカセット１４を装填するカセット装填部１６、後述する複数のセル２０を装填するセル装填部２２、セル２０を搬送するセル搬送装置２４、サンプル容器１２から分析を行う試料（液体）を採取してセル２０に注入するピペット（図示せず）及びセル２０に試薬を注入する試薬ノズル（図示せず）を備えたピペット装置２６、複数のセル２０を周方向に複数装填可能なターンテーブル２８、試薬を貯留した試薬液タンク３４、セル２０に注入された試料と試薬とを攪拌する後述する攪拌装置３８、試料を分析する分析部４２等を備えている。
【００３７】
図２、及び図３（Ａ）に示すように、セル２０は、透明な合成樹脂で上下方向に細長い柱状に形成され、中央には、試料及び試薬を入れるための上下方向に延びる断面円形のセル内部４４が形成されている。なお、セル内部４４の上側部分は、後述する鋼球５６（一例として、直径１．５ｍｍ）を入れ易くするためにテーパー状に広げられており、セル内部４４の下側部分は一定径（一例として、内径４ｍｍ）に形成されている。
なお、以下の実施形態において、本発明の磁性体として鋼球を用いた装置について説明するが、容器に磁石を接近させた際に上方へ移動し、前記容器から前記磁石を離間させた際に自重で落下する磁性体であれば特に制限はなく、例えば、強磁性体、常磁性体等が挙げられる。強磁性体としては鉄、ステンレス、ニッケル、コバルト、鉄を含む合金等が挙げられ、常磁性体としてはナトリウム、アルミニウム、クローム、白金等が挙げられる。なお、本実施形態の鋼球５６は、上記鉄に属するものである。
【００３８】
図２に示すように、ターンテーブル２８には、セル２０を装填するための矩形の装填孔２９が周方向に沿って等間隔で形成されている。このターンテーブル２８は、図示を省略した制御装置で回転が制御されるモータで矢印ＣＷ方向、又は矢印ＣＷと反対方向に回転される。
【００３９】
（攪拌装置）
ターンテーブル２８の外周側には、攪拌装置３８が設けられている。攪拌装置３８は、ターンテーブル２８の外周側にリング状の磁石保持部材５２を備えている。図２、及び図３（Ｂ）に示すように、磁石保持部材５２の内側面には、複数の磁石５４が周方向に沿って等間隔で取り付けられている。本実施形態の磁石５４はネオジウム磁石である。
【００４０】
図３（Ｂ）に示すように、磁石５４は、ターンテーブル２８に装填されたセル２０のセル内部４４の底面４４Ａよりも上方に配置されており、磁石５４をセル２０の側部に接近させて対向させた際に、セル２０の内部に入れた鋼球５６が磁石５４に吸引されてセル内部４４の底面４４Ａよりも所定寸法上方に持ち上げられるようになっている。なお、磁石５４の下面は、セル内部４４の底面４４Ａよりも上側に位置している。
【００４１】
（分析部）
図２、及び図３（Ｂ）に示すように、分析部４２は、磁石５４の近傍に配置されている。分析部４２には、セル２０の通過経路を挟んで一方側（例えば、ターンテーブル２８の外周の径方向内側）に光源５８が配置され、他方側（例えば、ターンテーブル２８の外周の径方向外側）に光センサ６０が配置されており、光源５８から出射した光Ｌがセル２０を透過して光センサ６０に入射されるように構成されている。
【００４２】
光源５８、及び光センサ６０は、セル内部４４の底面４４Ａよりも上方で、磁石５４よりも下側に位置しており、光源５８から光センサ６０に至る光路が磁石５４で持ち上げられた鋼球５６の下側に位置している。
【００４３】
(作用、効果）
以下に本実施形態の分析装置１０による試料の分析工程の概略を説明する。
（１）  本実施形態の分析装置１０では、予めセル装填部２２に複数のセル２０を装填しておく。なお、セル２０には、予め鋼球５６が入れられている。セル装填部２２に装填されたセル２０は、セル搬送装置２４でターンテーブル２８の装填孔２９に搬送され、装填される。また、本実施形態では、複数のサンプル容器１２を収容したカセット１４をカセット装填部１６に装填しておく。
（２）  以上の準備が整った本実施形態の分析装置１０では、先ずピペット装置２６のピペットが所定のサンプル容器１２から所定量の乏血小板血漿（ＰＰＰ）を採取し、採取した試料をターンテーブル２８に装填された所定のセル２０に注入する。
【００４４】
（３）  ターンテーブル２８を回転させ、分析部４２の光源５８と光センサ６０との間に乏血小板血漿（ＰＰＰ）の入れられたセル２０を配置し、光センサ６０でセル２０を透過した光量が測定され、基準となる乏血小板血漿（ＰＰＰ）の透過率（一例として、ここでの透過率を１００％とする。）が測定される。
【００４５】
（４）  次に、別のセル２０に、多血小板血漿（ＰＲＰ）を所定量分注し、ターンテーブル２８を所定の回転速度で連続回転させる。なお、ターンテーブル２８の回転方向は、矢印ＣＷ方向でも良く、矢印ＣＷ方向とは反対方向でも良い。ターンテーブル２８が回転し、図３（Ｂ）に示すように、セル２０の側部に磁石５４が接近して対向すると、セル内部４４の底面４４Ａに載っていた鋼球５６が磁石５４に引き付けられて上方に移動する。
【００４６】
さらにターンテーブル２８が回転し、図３（Ａ）に示すように、磁石５４がセル２０の側部から離間すると、鋼球５６に作用する磁力が弱まり、鋼球５６は自重によりセル内部４４の底面４４Ａ上に落下する。ターンテーブル２８を連続して回転させることで、複数の磁石５４がセル２０の側部に順次接近、離間を繰り返し、これに伴ってセル２０の鋼球５６が上下移動するので、セル２０の多血小板血漿（ＰＲＰ）が攪拌される。
【００４７】
ターンテーブル２８を連続して回転させている間、セル２０は、図３（Ｂ）に示すように、分析部４２の光源５８と光センサ６０との間を通過し、セル２０が光源５８と光センサ６０との間を通過した際に光センサ６０でセル２０を透過した光Ｌの光量が測定され、多血小板血漿（ＰＲＰ）の透過率（基準となる乏血小板血漿（ＰＰＰ）対比）が測定される。即ち、セル２０に入れられた多血小板血漿（ＰＲＰ）の透過率が、ターンテーブル２８が回転している間、複数回測定される。なお、分析部４２の光源５８と光センサ６０との間に配置されるセル２０は、磁石５４が側部に接近して対向し、セル２０内の鋼球５６が持ち上げられた状態であり、光源５８から出射された光Ｌは鋼球５６の下方を通過して光センサ６０に至る。
【００４８】
（５）  所定時間が経過して透過率が安定したところで、ターンテーブル２８の回転を一旦停止し、多血小板血漿（ＰＲＰ）の入れられたセル２０に試薬（アゴニスト：一例としてＡＤＰ溶液。コラーゲン、リストセチン、エピネフィリン等を用いる場合もある。）を添加する。試薬を添加後、ターンテーブル２８を回転させて多血小板血漿（ＰＲＰ）と試薬とを鋼球５６で攪拌しながら、透過率を所定時間測定する。多血小板血漿（ＰＲＰ）に試薬が添加されると、凝集反応が起こり、セル２０内の多血小板血漿（ＰＲＰ）の透過率が上昇する。経時的に透過率が高くなることは、凝集反応が進行していることを示している。本実施形態の分析装置１０では、このように、攪拌しながら透過率を測定することで血小板凝集能を評価することができる。
【００４９】
本実施形態では、多血小板血漿（ＰＲＰ）を入れるセル２０のセル内部４４の径が小さく（一例として内径４ｍｍ）、多血小板血漿（ＰＲＰ）を攪拌するための部材が直径１．５ｍｍの鋼球５６であるため、多血小板血漿（ＰＲＰ）の使用量が少なくて済む（例えば、１００μＬ）。
【００５０】
なお、磁石５４は、セル内部４４の底面４４Ａに載った鋼球５６を上方に引き寄せることができれば良く、セル２０に対向する極は、Ｎ極でも良く、Ｓ極でも良い。磁石５４の磁力、セル２０との距離、及び高さは、セル内部４４の底面４４Ａに載った鋼球５６を上方に引き寄せることができるように設定されていれば良い。磁石５４の形状は特に限定されず、磁石５４は永久磁石に限らず、電磁石であっても良い。
【００５１】
［第２の実施形態］
次に、本発明の第２の実施形態に係る攪拌装置７４を図４（Ａ）、（Ｂ）にしたがって説明する。なお、第１の実施形態と同一構成には同一符号を付し、その説明は省略する。
図４（Ａ）、（Ｂ）に示すように、本実施形態の攪拌装置７４は、セル２０を装填する装填孔７０の形成されたセルホルダー７２を備えている。セルホルダー７２の側方には、攪拌装置７４が設けられている。攪拌装置７４は、磁気発生装置７６を備えた軸芯を鉛直方向に向けた多角形の回転ドラム８０を有している。この回転ドラム８０はモータ７８で回転される。
【００５２】
磁気発生装置７６は、回転ドラム８０の側面に４個の磁石５４が周方向に等間隔で取り付けられたものである。磁石５４は、第１の実施形態と同様にセル２０のセル内部４４の底面４４Ａよりも上方に配置されている。回転ドラム８０を回転させることで、各磁石５４をセル２０の側部に接近させて対向させることができ、磁石５４がセル２０の側部に接近して対向することで、第１の実施形態と同様にセル２０内の鋼球５６を上方に引き寄せることが出来る。また、磁石５４がセル２０の側部から離間すると、鋼球５６は自重で落下する。
【００５３】
本実施形態では、回転ドラム８０を回転させることで、回転ドラム８０に設けられた複数の磁石５４がセル２０の側部に順次接近、離間を繰り返し、第１の実施形態と同様にセル２０内の鋼球５６を上下移動させ、セル２０内の液体を攪拌することが出来る。
【００５４】
［第３の実施形態］
次に、本発明の第３の実施形態に係る攪拌装置８７を図５〜１０にしたがって説明する。なお、前述した実施形態と同一構成には同一符号を付し、その説明は省略する。
【００５５】
本実施形態の攪拌装置８７では、図５、及び図７に示すような形状のセル８２を用いる。セル８２は、横方向に長い長方体形状を呈しており、セル内部８４は、一定深さの長細い溝形状とされている。セル内部８４には鋼球５６が入れられるようになっており、鋼球５６はセル内部８４の長手方向に沿って移動可能とされている。なお、セル内部８４の幅は、鋼球５６の直径よりも若干大きい寸法に設定されている。
【００５６】
ターンテーブル２８には、セル８２を装填するためにターンテーブル２８の径方向に長い装填孔８６が形成されている。
【００５７】
攪拌装置８７は、ターンテーブル２８の外周部近傍に設けられている。攪拌装置８７は、セル８２の移動軌跡を挟んでターンテーブル２８の径方向内側に配置される内リング９０と、径方向外側に配置される外リング９２とを備えている。
【００５８】
内リング９０の外周面には、周方向に沿って一定角度で磁石５４が取り付けられている。また、外リング９２の内周面には、周方向に沿って一定角度で磁石５４が取り付けられている。なお、内リング９０の磁石５４と、外リング９２の磁石５４とは、ターンテーブル２８の周方向に位相差を持つようにずらして配置されており、磁気発生手段８８を構成している。
【００５９】
このため、ターンテーブル２８を回転させると、セル８２の長手方向の一方側の側部、及び他方向の側部に対して内リング９０の磁石５４と外リング９２の磁石５４とが交互に対向するようになっている。
【００６０】
図７（Ｂ）、及び図８（Ｂ）に示すように、内リング９０の磁石５４、及び外リング９２の磁石５４は、ターンテーブル２８に装填されたセル８２のセル内部８４の底面８４Ａよりも上方に配置されており、磁石５４をセル８２の側部に接近させて対向させた際に、セル８２の内部に入れた鋼球５６が磁石５４に吸引されてセル内部８４の底面８４Ａよりも所定寸法上方に持ち上げられるようになっている。
【００６１】
図７（Ｂ）に示すように、本実施形態の分析部４２は、内リング９０に光源５８が設けられ、外リング９２に光センサ６０が設けられている。光源５８、及び光センサ６０は、セル内部８４の底面８４Ａよりも上方で、磁石５４よりも下側に位置しており、光源５８から光センサ６０に至る光路が磁石５４で持ち上げられた鋼球５６の下側に位置している。
【００６２】
本実施形態では、セル内部８４に入れる液体の高さは、磁石５４で持ち上げられた鋼球５６の下側を光源５８から出射された光Ｌが通過できる程度に設定されていれば良いので、セル内部８４に入れる液体の量を少量で済ませることが出来る。
【００６３】
（作用）
次に、本実施形態の攪拌装置８７の作用を説明する。
先ず、図７（Ａ）に示すように、鋼球５６を入れたセル８２をターンテーブル２８の装填孔８６に装填する。
ターンテーブル２８が回転し、図６、図７（Ｂ）に示すように、セル８２の側部に外リング９２の磁石５４が接近して対向すると、セル内部８４の底面８４Ａに載っていた鋼球５６が磁石５４に引き付けられて上方に移動する。
【００６４】
さらにターンテーブル２８が回転し、図５、図８（Ａ）に示すように、磁石５４がセル８２の側部から離間すると、鋼球５６に作用する磁力が弱まり、鋼球５６は自重によりセル内部８４の底面８４Ａ上に落下し、多血小板血漿（ＰＲＰ）が攪拌される。
【００６５】
さらにターンテーブル２８が回転し、図６、図８（Ｂ）に示すように、セル８２の側部に内リング９０の磁石５４が接近して対向すると、セル内部８４の底面８４Ａに載っていた鋼球５６が磁石５４に引き付けられて斜め上方に移動し、多血小板血漿（ＰＲＰ）が攪拌される。
【００６６】
さらにターンテーブル２８が回転し、図５、図９（Ａ）に示すように、磁石５４がセル８２の側部から離間すると、鋼球５６に作用する磁力が弱まり、鋼球５６は自重によりセル内部８４の底面８４Ａ上に落下し、多血小板血漿（ＰＲＰ）が攪拌される。
【００６７】
さらにターンテーブル２８が回転し、図６、図９（Ｂ）に示すように、セル８２の側部に外リング９２の磁石５４が接近して対向すると、セル内部８４の底面８４Ａに載っていた鋼球５６が磁石５４に引き付けられて斜め上方に移動し、多血小板血漿（ＰＲＰ）が攪拌される。
【００６８】
ターンテーブル２８を連続して回転させ、外リング９２の磁石５４、及び内リング９０の磁石５４がセル８２の側部に順次接近、離間を繰り返しことで、図１０の矢印Ａ〜Ｄに示すように、鋼球５６がセル内部８４で、落下、及び斜め上方の移動を繰り返し、略８の字を描くように移動するので、セル８２の多血小板血漿（ＰＲＰ）が効率的に攪拌される。
【００６９】
［第４の実施形態］
次に、本発明の第４の実施形態に係る攪拌装置９４を図１１にしたがって説明する。なお、前述した実施形態と同一構成には同一符号を付し、その説明は省略する。
【００７０】
上記第３の実施形態では、内リング９０、及び外リング９２の磁石５４を動かさず、セル８２を移動させることで、鋼球５６を移動させたが、本実施形態の攪拌装置９４は、セル８２を動かさず、磁石５４の付いた内リング９０、及び外リング９２を動かすことで鋼球５６を移動させるものである。
【００７１】
図１１に示すように、本実施形態の攪拌装置９４は、内リング９０と外リング９２との間に、中間リング９６が設けられている。中間リング９６は固定されており、セル８２を装填する装填孔８６が周方向に沿って形成されている。
【００７２】
内リング９０と外リング９２とは、複数のブリッジ９８で互いに連結されており、内リング９０と外リング９２とは、図示しないモータで共に回転するように構成されている。      
【００７３】
本実施形態の攪拌装置９４は、内リング９０と外リング９２とを回転させることで、内リング９０の磁石５４と外リング９２の磁石５４とが、セル８２の長手方向の一方側の側部と他方側の側部とに交互に近接して対向し、第３の実施形態と同様に鋼球５６をセル内部８４で略８の字を描くように移動させ、セル８２の多血小板血漿（ＰＲＰ）を効率的に攪拌することができる。
【００７４】
［第５の実施形態］
次に、本発明の第５の実施形態に係る攪拌装置１００を図１２にしたがって説明する。なお、前述した実施形態と同一構成には同一符号を付し、その説明は省略する。
【００７５】
図１２に示すように、本実施形態の攪拌装置１００は、セル８２を装填する装填孔１０２の形成されたセルホルダー１０４を備えている。セル８２の長手方向の一方側、及び他方側に各々回転ドラム８０が設けられている。
【００７６】
セル８２の長手方向の一方側の回転ドラム８０と、セル８２の長手方向の他方側の回転ドラム８０とは同期して回転するようになっている。また、セル８２の長手方向の一方側の回転ドラム８０の磁石５４と、セル８２の長手方向の他方側の回転ドラム８０の磁石５４とは、位相が４５°ずらされている。
【００７７】
したがって、セル８２の長手方向の一方側の回転ドラム８０と、セル８２の長手方向の他方側の回転ドラム８０とを同期して回転すると、前述した第１の実施形態と同様に、セル８２の長手方向の一方側の側部と他方側の側部に磁石５４が交互に近接して対向する。これにより、本実施形態においても、鋼球５６をセル内部８４で略８の字を描くように移動させ、セル８２の多血小板血漿（ＰＲＰ）を効率的に攪拌することができる。
【００７８】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００７９】
上記実施形態では、凝集能を調べるためにセル２０またはセル８２に光を照射して乏血小板血漿（ＰＰＰ）、及び多血小板血漿（ＰＲＰ）における光の透過率を測定したが、セル２０またはセル８２に光を照射して、乏血小板血漿（ＰＰＰ）、及び多血小板血漿（ＰＲＰ）の散乱光を測定することで凝集能を調べることも出来る。
【００８０】
上記実施形態では、攪拌装置３８、７４、８７、９４、１００を多血小板血漿（ＰＲＰ）の攪拌に用いたが、本発明はこれに限らず、攪拌装置３８、７４、８７、９４、１００を多血小板血漿（ＰＲＰ）以外の液体の攪拌に用いることもできる。
【００８１】
また、鋼球５６は、磁石に吸引可能なステンレス等の常磁性体の球体に代えることもでき、球形に形成された磁石に代えることもでき、球以外の形状に代えることもできる。セル２０、８２に入れる鋼球５６の数は、複数であっても良い。
【００８２】
（試験例）
先ず、多血小板血漿（ＰＲＰ）、及び乏血小板血漿（ＰＰＰ）を以下の手順で調製した。
（１）抗凝固剤として、０．１２９ｍｏｌ／Ｌ（０．３８％）のクエン酸５ｍＬを入れた注射器を用いて血液５０ｍＬを採取した。
（２）１５ｍＬチューブに小分け分注し、遠心分離機で遠心分離（１００×ｇ・１５分・２５°Ｃ）した。
（３）上清部分の多血小板血漿（ＰＲＰ）を注意深くピペットで分取した。
（４）残った下層（血球）部分をさらに遠心分離（１５００×ｇ・１５分・２５°Ｃ）した。
（５）上清部分の乏血小板血漿（ＰＰＰ）をピペットで分取した。
【００８３】
次に、上述した第２の実施形態の分析装置を用い、血小板凝集能の評価を以下の手順で行った。
（１）  回転ドラムの外周に沿って４個の磁石を９０度間隔で取り付け、Ｎ極がセルに向く方向とした。このとき、磁石の高さは、セルに１００μＬの液体と鋼球を入れた場合に、該鋼球が液面の上端まで引き上げられる高さとした。
（２）  セルに乏血小板血漿（ＰＰＰ）を１００μＬ分注し、該セルをセルホルダーにセットし、そのまま５５５ｎｍの光の透過率を測定し、その透過率を１００％とした。
（３）  別のセルに鋼球（直径１．５ｍｍ）を１個、及び多血小板血漿（ＰＲＰ）を１００μＬ分注し、該セルをセルホルダーにセットした。
（４）  回転ドラムを１００ｒｐｍの速度で連続回転させ、攪拌を行うと同時にセルの分光測定（タイムスキャン）を開始した。
（５）  約２０秒経過後、透過率が安定したところでＡＤＰ溶液を１０μＬ（１０μｍｏｌ／Ｌ、終濃度）をピペットでセル内に添加した。
（６）  そのまま５分間タイムスキャン測定を行った。
【００８４】
本実施例において、凝集反応が起こると、セル内の多血小板血漿（ＰＲＰ）溶液の透過率が上昇する。即ち、図１３のグラフに示すように、経時的に透過率が高くなり、凝集反応が進行していることが分かる。
【符号の説明】
【００８５】
１０    分析装置
２０    セル（容器）
２８    ターンテーブル（回転部材）
３８    攪拌装置
４２    分析部（光量測定装置）
５２    磁石保持部材
５４    磁石
５６    鋼球（磁性体）
７４    攪拌装置
７６    磁気発生装置
８７    攪拌装置
８８    磁気発生手段
９４    攪拌装置
１００  攪拌装置
【図２】
2017015500.tif 000003
【図３】
2017015500.tif 000004
【図４】
2017015500.tif 000005
【図５】
2017015500.tif 000006
【図６】
2017015500.tif 000007
【図７】
2017015500.tif 000008
【図８】
2017015500.tif 000009
【図９】
2017015500.tif 000010
【図１０】
2017015500.tif 000011
【図１１】
2017015500.tif 000012
【図１２】
2017015500.tif 000013
【図１３】
2017015500.tif 000014
【図１】
2017015500.tif 000015